(57)【要約】【目的】植生空間及びエクステリアデザインに変化を与えられる植生用ブロックを提供する【構成】平面視が仮想台形の平行な二辺のうちの短辺の両端を含む第１の縁と、該仮想台形の長辺の両端を含む第２の縁と、該長辺の中央部分を含む第３の縁とを含み、第１の縁と第２の縁及び第１の縁と第３の縁が梁で連結され、第２の縁の外端は前記長辺から実質的に垂直に立ち上がっており、平面視がＷ字形状である。【選択図】      図１
2004353323.tif 000002
【特許請求の範囲】
【請求項１】
平面視が仮想台形の平行な二辺のうちの短辺の両端を含む第１の縁と、
該仮想台形の長辺の両端を含む第２の縁と、
該長辺の中央部分を含む第３の縁と、を備え、
前記第１の縁と前記第２の縁及び前記第１の縁と前記第３の縁が梁で連結され、
前記第２の縁の外端は前記長辺から実質的に垂直に立ち上がっており、
平面視がＷ字形状である、ことを特徴とするＷ字型植生用ブロック。
【請求項２】
前記梁の挟角部分に補強部が形成されている、ことを特徴とする請求項１に記載のＷ字型植生用ブロック。
【請求項３】
平面視が仮想台形の平行な二辺のうちの短辺の両端を含む第１の縁と、
該仮想台形の長辺の両端を含む第２の縁と、を備え、
前記第１の縁と前記第２の縁とが梁で連結されている、
ブロック。
【請求項４】
前記第２の縁はその外端が前記長辺から実質的に垂直に立ち上がっている、ことを特徴とする請求項３に記載のブロック。
【請求項５】
前記梁の挟角部分に補強部が形成されている、ことを特徴とする請求項３又は４に記載のブロック。
【請求項６】
前記長辺の実質的に中央部分を含む第３の縁が更に形成されて、前記第１の縁と前記第３の縁とが梁で連結され、
平面視がＷ字形状である請求項３〜５のいずれかに記載のブロック。
【請求項７】
前記長辺においてこれを３分割する部分を含む第３の縁と、前記短辺の実質的に中央部分を含む第４の縁とが更に形成され、
前記第１の縁と前記第３の縁及び前記第３の縁と前記第４の縁が梁で連結されている、ことを特徴とする、請求項３〜５のいずれかに記載のブロック。
【請求項８】
前記長辺において、一対の前記第２の縁の間に少なくとも１つの第３の縁が形成され
前記短辺において、一対の前記第１の縁の間に少なくとも１つの第４の縁が形成され、
前記第１の縁と前記第３の縁及び前記第３の縁と前記第４の縁が梁で連結されている、ことを特徴とする、請求項３〜５のいずれかに記載のブロック。
【発明の詳細な説明】
【０００１】
【産業上の利用分野】
本発明はブロックに関する。更に詳しくは、本発明は植生可能に舗装をするためのコンクリートブロックに好適に使用される。
【０００２】
【従来の技術】
従来、植生可能な舗装用コンクリートブロックは、ブロックの上下方向に貫通孔が設けられ、またブロックを格子状にすることにより、植生用の空間部を確保していた。この空間部を介して雨水が地中へ浸透する。
かかるコンクリートブロックとして特許文献１、特許文献２に開示のものを挙げることができる。
また、特許文献３には、凹凸及び側面の嵌合穴を備えた平面視長方形のコンクリートブロックが開示されている。このコンクリートブロックを縦横に組み合わせることにより、植生用の空間が形成されるとともに、独自のエクステリアデザインが構成される。
【０００３】
【特許文献１】
特開２００１−３３０４号公報
【特許文献２】
実開平５−５７００２号公報
【特許文献３】
特開２００２−３３９３０２号公報
【０００４】
【発明が解決しようとする課題】
上記特許文献１〜３に記載されたコンクリートブロックによれば、植生空間の確保と独自のエクステリアデザインを得られるが、これらは固定されていた。
他方、被舗装地はその状態や用途、更には植物の種類に応じて植生空間の空隙率を適宜調整することが望まれている。また、被舗装用地は周囲の環境に応じてそのエクステリアデザインに変化を与えたい場合がある。
しかしながら、固定した植生空間やエクステリアデザインを有する従来のコンクリートブロックではこれらの要求に答えることができなかった。
【０００５】
そこでこの発明は、植生空間及びエクステリアデザインに変化を与えられる植生用ブロックを提供することを目的とする。
この発明の他の目的は、新規な構成のブロックを提供することにある。
この発明はかかる目的を達成するものであり、その構成は次の通りである。即ち、
平面視が仮想台形の平行な二辺のうちの短辺の両端を含む第１の縁と、
該仮想台形の長辺の両端を含む第２の縁と、
該長辺の中央部分を含む第３の縁と、
前記第１の縁と前記第２の縁及び前記第１の縁と前記第３の縁が梁で連結され、
前記第２の縁の外端は前記長辺から実質的に垂直に立ち上がっており、
平面視がＷ字形状である、ことを特徴とするブロック。
【０００６】
このように構成されたブロックによれば、ブロックの縁同士を突き合わせた状態（第１の敷設状態、図４〜６の例を参照）において植生空間を広く取ることが出来る。また、第１の縁を第２の縁と第３の縁との間にはめ嵌め込む状態（第２の敷設状態、図７の例を参照）において狭い植生空間の舗装が可能になる。
また、第１の敷設状態と第２の敷設状態においてそのエクステリアデザインも異なったものとなる。
【０００７】
【実施例】
以下、この発明を実施例に基づき更に詳細に説明する。
（第１実施例）
図１にこの実施例のブロック１の平面図（図１Ａ）、背面図（図１Ｂ）、正面図（図１Ｃ）及び側面図（図１Ｄ）を示した。
図１Ａに示すように、このブロック１の平面視外郭形状は仮想的な台形Ｔの中に納まっている。仮想台形Ｔの上側短辺の両端を含むように第１の縁３、３が形成されている。第１の縁３、３の間の切欠き４の形状は特に限定されず、図１の示す三角形の他、図２に示すとおり円形の切欠き５を用いることもできる。また、この切欠きを省略することも可能である。
【０００８】
仮想台形Ｔの下側長辺の両端を含むように第２の縁７、７が形成されている。第２の縁７、７においてそれぞれの外側端８、８は、仮想台形Ｔの長辺に対して実質的に垂直に立ち上がっている。これにより、図４〜図７に示すように、長手方向に隣り合うブロックが隙間なく連結され、好ましいエクステリアデザインが得られる。
仮想台形Ｔの下側長辺の中央部分には第３の縁９が形成される。
第２の縁７、７と第３の縁９との間の切欠き１０、１０の形状は特に限定されず、図１に示す三角形のほか図２に示すとおり円形の切欠き１１、１１を採用することができる。
【０００９】
第１の縁３、３と第２の縁７、７とは第１の梁１３で連結されている。第１の縁３、３と第３の縁９とは第２の梁１５、１５で連結されている。
植生空間を広くするために、当該梁１３、１５にも切欠き部若しくは貫通孔を形成することができる。
【００１０】
梁１３、１５の挟角が小さいので、このように梁が屈曲する部分の機械的強度が他の部分に比べて劣ることとなる。特に、型抜き時に当該屈曲部分に応力が集中し、破損の生じるおそれがある。そこで、図３に示すように、梁の挟角部分に補強部１８を設けることが好ましい。
また、図２に示すように、梁の挟角部分にＲを設けることにより応力集中をさけることもできる。
また、図４に示すように、梁１３、１５の幅方向へ貫通孔１７を設けることができる。植物の根が当該貫通孔１７へ入り込むことにより、ブロックがズレ難くなり、エクステリアデザインが安定し、かつ歩行安全性も確保できる。
貫通孔１７の代わりに、幅方向の凹部（この凹部はブロックの底面に開口している）を設けてもよい。
【００１１】
かかるブロック１の形成材料はその用途や使用条件等に応じて適宜選択可能であるが、例えばコンクリート、レンガ、タイル等の無機材料、合成樹脂等の有機材料及びこれらの複合材料を当該形成材料として挙げることができる。無機材料としてはガラス、陶器、磁器、コンクリート等の廃棄物を粉砕して得られた細片をその材料として用いることもでき、資源の有効利用の観点から好ましい。
かかる材料を型枠に流し込むことにより各形状のブロックを形成する。
なお、図４に示すブロックの場合、貫通孔１７に該当するところに固形の肥料を中子として入れておいて、その他の部分を型形成する。これを土中へ敷設すると、時間の経過とともに肥料である中子が消失し、貫通孔１７が形成される。この場合、植物の根は肥料の方向へ伸びやすいので、貫通孔１７へ植物の根がより確実に入り込み、もってブロックの安定性が確保できる。
【００１２】
このブロック１の敷設態様を図５〜図９に示す。図４に示す敷設態様では、第１の縁３、３へ第２の縁７、７及び第３の縁９を当接させている。これにより、図４に示すように、矩形の植生空間２１が形成される。この植生空間には、ピンコロ２３とよばれる装飾性の目地を嵌め込むことができる。ピンコロ２３の材料として、自然石、タイル、レンガ等を用いることができる。ピンコロ２３を嵌め込むことにより、植生空間の開口率の調整、歩行性能の向上並びにエクステリアデザインに変化をもたせることができる。
【００１３】
図６は、道路境界の土壌流出を防止するためにブロック１を線形に敷設した例を示す。この敷設態様は図５と実質的に同一である。
図７は他の敷設態様を示す。この態様において、ブロック１の長辺同士（第２の縁７、７及び第３の縁９）、短辺同士（第１の縁３、３）が当接される。図８は当該敷設態様の斜視図である。
これらの図からわかるとおり、実施例のブロック１によれば、仮想台形の平行な二辺に位置する縁同士を当接させてブロック１が敷設されるので、異なるブロックの縁を平行に並べることが容易に行える。その結果、図に示すような格子図柄のエクステリアデザインを正確かつ容易に実現できる。実施例のブロック１のように直角二等辺三関係の合同な切欠き４、１０を有する場合、正方形の空間部を有する格子状のエクステリアデザインとなる。
他方、特許文献３に示す従来例のブロックでは、長方形の長辺に短辺を突き当てて敷設するので、その垂直な位置関係を実現することが困難であった。即ち、異なるブロックの縁を平行に並べることが困難であった。
【００１４】
図５〜図８の敷設態様では、ブロック間に比較的大きな矩形の植生空間が形成される。
一方、図９に示すように、第１の縁が切欠き１０、１０へ嵌め込まれるように敷設すると、植生空間３１は狭くなるとともに、エクステリアデザインも図５〜図８の場合と大きくことなるものとなる。
図９の例に示すように、第１の縁３、３が第２の縁７、７と第３の縁９との間の切欠き１０、１０に嵌合するようにブロックを設計することが好ましい。
【００１５】
（第２実施例）
図１０に他の実施例のブロック４０を示す。このブロック４０の平面視外郭形状は仮想台形Ｕの中に納まっている。仮想台形Ｕの上側短辺が第１の縁４１となる。
仮想台形Ｕの下側長辺の両端を含むように第２の縁４７、４７が形成されている。この第２の縁４７，４７においてそれぞれ外側端４８、４８は、仮想台形Ｕの長辺に対して実質的に垂直に立ち上がっている。これにより、長手方向に隣りあうブロックを隙間なく連結可能になる。第２の縁４７、４７の間には三角形の切欠き４６が形成されている。この切欠きの形状は特に限定されるものではない。
【００１６】
第１の縁４１と第２の縁４７、４７とは梁４９、４９で連結されている。梁４９、４９の挟角部分には補強部を設けることが好ましい。当該補強部にＲを付けてもよい。
このブロック４０は、図１のブロックのパターンをその長手方向へ０．５倍した形状である。したがって、図５〜図９に示した敷設態様を実行できる。
【００１７】
（第３実施例）
図１１に他の実施例のブロック５０を示す。このブロック５０の平面視外郭形状は仮想台形Ｘの中に納まっている。仮想台形Ｘの上側短辺の両端を含むように第１の縁５１、５１が形成されている。また、上側短辺の中央部分を含むように第４の縁５３が形成されている。第１の縁５１、５１と第４の縁５３との間に三角形の切欠き５４、５４が形成されている。この切欠きの形状は特に限定されず、当該切欠きを省略することもできる。
【００１８】
仮想台形Ｘの下側長辺の両端を含むように第２の縁５７、５７が形成されている。第２の縁５７、５７においてそれぞれの外側端５８、５８は、仮想台形Ｘの長辺に対して実質的に垂直に立ち上がっている。これにより、長手方向に隣りあうブロックを隙間なく連結可能になる。
長辺を三等分する部分には第３の縁５９、５９が形成されている。
第２の縁５７、５７と第３の縁５９、９との間及び第３の縁５９、５９の間の切欠き６０、６０、６０は図示の三角形に限定されず、任意の形状を選択することができる。
【００１９】
第１の縁５１、５１と第２の縁５７，５７とは第１の梁６３、６３で連結されている。第１の縁５１、５１と第３の縁５９、５９とは第２の梁６５、６５で連結されている。第４の縁５３と第３の縁５９、５９とは第３の梁６７、６７で連結されている。各梁の挟角部分を補強してその機械的強度を高めることが好ましい。各梁の挟角部分をＲに形成してもよい。
このブロック５０は、図１のブロックのパターンをその長手方向へ１、５倍したものである。したがって、図５〜図９に示した敷設態様を実行できる。
【００２０】
上記の各実施例からわかるように、図１０のブロックのパターンを基準として、これを長手方向へ整数倍したとき、図５〜図９に示した敷設態様の実行が可能となる。即ち、ブロックの敷設態様の如何により、植生空間の空隙率を変化させることができるとともにそのエクステリアデザインに変化を与えることができる。
【００２１】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】この発明の第１の実施例のブロックを示す６面図である。
【図２】変形態様のブロックを示す平面図である。
【図３】変形態様のブロックを示す平面図である。
【図４】変形態様のブロックを示す平面図（Ａ）、及び側面図（Ｄ）である。
【図５】実施例のブロックの敷設態様を示す平面図である。
【図６】実施例のブロックの他の敷設態様を示す平面図である。
【図７】実施例のブロックの他の敷設態様を示す平面図である。
【図８】図７の敷設態様の斜視図である。
【図９】実施例の他の敷設態様を示す平面図である。
【図１０】他の実施例のブロックを示す平面図である。
【図１１】他の実施例のブロックを示す平面図である。
【符号の説明】
１、２、２０、４０、５０  ブロック
３、４１、５１  第１の縁
７、４７、５７  第２の縁
９、５９  第３の縁
５３  第４の縁
１３、１５、４９、６３、６５、６７  梁
【図１】
2004353323.tif 000003
【図２】
2004353323.tif 000004
【図３】
2004353323.tif 000005
【図４】
2004353323.tif 000006
【図５】
2004353323.tif 000007
【図６】
2004353323.tif 000008
【図７】
2004353323.tif 000009
【図８】
2004353323.tif 000010
【図９】
2004353323.tif 000011
【図１０】
2004353323.tif 000012
【図１１】
2004353323.tif 000013